(57)【要約】      （修正有）【課題】洗面用具や反射鏡等の被吸着物を容易に取り付けることができ、且つ、被吸着物を取り外した際に、鏡面に汚れや傷が生じない吸着鏡を提供する。【解決手段】鏡面部材２０の裏面に、該鏡面部材の表面に磁力が及ぶ磁石片３０を取り付けた吸着鏡１０と、鉄又は磁石を裏面に設けた貼着片５０とによって構成したので、貼着片５０を被吸着物５に貼り付けることによって、鏡面に被吸着物を取り付けることができる。被吸着物を取り外した後は、鏡面は当初の状態が維持され、汚れや傷がつかない。【選択図】  図１
2008023005.tif 000002
【特許請求の範囲】
【請求項１】
鏡面部材の裏面に、該鏡面部材の表面にまで磁力が及ぶ磁石を取り付けてなる吸着鏡。
【請求項２】
鏡面部材の裏面に、該鏡面部材の表面にまで磁力が及ぶ磁石を取り付けた吸着鏡と、前記磁力に吸着する吸着手段を裏面に設けた貼着片と、を含んで構成された吸着鏡セット。
【発明の詳細な説明】
【技術分野】
【０００１】
本発明は鏡に関し、特に鏡面に物を着脱自在に取付けることを可能とする吸着鏡及び吸着鏡セットに関する。
【背景技術】
【０００２】
鏡は、容姿を映したり、見え難い所を見えるようにするといった本来的な用途に加え、空間を広く見せることができる効果により店舗等の内壁材としても多用されている。
このような鏡の表面に、歯ブラシ等の洗面用具、櫛やヘアピン等の美容用具、ティッシュケース、横顔や後姿を見るための反射鏡等を必要に応じて取り付けたい場合、粘着剤によって着脱可能に貼着したり、吸盤によって吸着させたり、接着剤で接着させたりしたりしていた。
【０００３】
例えば、特許文献１及び特許文献２には、頭頂部や後姿の視認を確保するために、先端に可動鏡を設けたアームを吸盤を介して鏡面に取り付ける技術が提案されている。
【特許文献１】実用新案登録第３０８９１０８号
【特許文献２】実用新案登録第３１００９４６号
【発明の開示】
【発明が解決しようとする課題】
【０００４】
しかし、吸盤で取り付ける方法では、吸盤の吸着力が経時的に低下し、いつの間にか外れ落ちてしまうといった問題があった。また、一旦吸盤を取り外してしまうと、吸盤の吸着力が極度に低下し、再度取り付けようとしてもうまく取り付けられないことがあった。また、長期間取り付けられていた吸盤を取り外した後、鏡面に汚れが残るという問題もあった。
【０００５】
また、洗面や美容など鏡の前での作業の途中で、一時的に歯ブラシやヘアピン等を置きたい場合、近くに載置台がない場合は非常に不便である。
このような場合、載置台や収納ボックスを吸盤によって鏡面に取り付けることが多いが、吸盤の吸着力に限界があるために重いものを載置することができないといった問題や、一旦取り付けたら、気軽に取り外すことができないので、インテリアとしての鏡の外観が損なわれるといった問題があった。
【０００６】
一方、粘着剤で取り付けた場合は、吸盤の場合と同様、頻繁に取り外すと粘着性が低下する上に、軽量なものでないと貼り付けることができないといった問題があるし、接着剤で取り付けた場合は、取り外し自体が不可能であり、取り外すことができたとしても、後に傷や汚れが残るといった問題があった。
【０００７】
そこで、本発明は、洗面用具、美容用具、ティッシュケース、収納箱、反射鏡等の被吸着物を容易に取り付けることができ、且つ、被吸着物を取り外した際に、鏡面に汚れや傷が生じない吸着鏡の提供を目的とする。
【課題を解決するための手段】
【０００８】
上記課題を解決するために本発明に係る吸着鏡は、鏡面部材の裏面に、該鏡面部材の表面に磁力が及ぶ磁石を取り付けてなるものである。
また、本発明に係る吸着鏡セットは、鏡面部材の裏面に、該鏡面部材の表面に磁力が及ぶ磁石を取り付けてなる吸着鏡と、前記磁石に吸着する吸着手段を裏面に設けた貼着片と、を含んで構成されたものである。
【発明の効果】
【０００９】
請求項１に係る吸着鏡は、鏡面部材の裏面に磁石を取り付けたので、鏡面部材の表面に鉄や磁石などの磁力による吸着作用を有する部材によって構成されたものを着脱自在に取り付けることができる。また、被吸着物を取り外した後は、鏡面は当初の状態が維持され、汚れや傷がつかない。
【００１０】
請求項２に係る吸着鏡セットは、鏡面部材の裏面に磁石を取り付けた吸着鏡と、吸着手段を裏面に設けた貼着片とを含んで構成されているので、その貼着片を鏡面に取り付けようとする物に貼着することによって、その物の材質が何であろうと自在に鏡に吸着させることができる。
【発明を実施するための最良の形態】
【００１１】
以下、本発明の実施形態を図面に基づいて説明する。
【実施例１】
【００１２】
図１は、本発明の第１実施形態に係る吸着鏡セットを示す断面図である。
この吸着鏡セット１は、吸着鏡１０と、その鏡面に密着させようとする被吸着物５に取り付けられる貼着片５０とからなるものである。
【００１３】
吸着鏡１０は、鏡面部材２０の裏面に、該鏡面部材２０の表面に磁力が及ぶ磁石片３０を取り付けてなるものであり、この鏡面部材２０は、図２に示すように、透明な平面部材２１の裏側に、金属膜２２を設けて構成される。
透明な平面部材２１として、本実施例では厚さ２ｍｍ〜５ｍｍの透明なガラス板を使用するが、合成樹脂製の板又はシートなども使用できる。合成樹脂としては、アクリル系樹脂、ポリカーボネート樹脂、塩化ビニル樹脂などが使用可能である。
【００１４】
金属膜２２には、本実施例では銀や銅等の材料により金属メッキした厚さ１ｍｍの金属板を使用するが、真空蒸着法、スパッタリング法、イオンプレーティング法などの物理的蒸着法（ＰＶＤ）又は化学的蒸着法（ＣＶＤ）により形成された金属製の薄膜であってもよい。この場合、アルミニウム、クロム、ニッケル、クロム−ニッケル合金などの光反射性の高い材料を使用する。
【００１５】
金属膜２２の層厚は、高い鏡面反射性を確保するために、５０ｎｍ以上、好ましくは１００ｎｍ以上であることが必要であるが、磁石の磁力を表面にまで透過させるためには、可能な限り薄くするのが望ましい。
金属膜２２をメッキによって形成する場合は、乾燥後の金属膜２２の裏面に、図示しない裏止め塗料を塗布する。この裏止め塗料は、防蝕性、メッキ金属への接着容易性、切断時の折り割り性、硬質性を有する合成樹脂を用いるのが好ましい。
【００１６】
このような鏡面部材２０の裏面には、磁石片３０が一面に貼り付けられている。この場合、磁石片３０としては、直径３０ｍｍ、厚さ１０ｍｍ、１２９００ガウスの円盤状のネオジウム磁石を使用し、図３に示すように、隣り合う磁石に接触させて一面に敷き詰めることによって、１８ｋｇの鉄を垂直方向に引き上げるのに十分な吸着力が生じる。
なお、磁石片３０は、鏡面部材２０の表面にまで磁力が及ぶものであれば如何なる種類のものでも良く、鏡面部材２０の厚さや貼着片５０の磁力等を考慮して適宜選択するものとする。
【００１７】
例えば、磁石片３０としては、ネオジウム磁石の他に、比較的安価なフェライト磁石を用いることもできる。また、高強度・高磁束密度・磁性の温度依存性が小さい点を考慮すればアルニコ磁石が好ましいし、残留磁束密度が高く塑性加工が可能な点及びコバルト量が少ない点を考慮すれば鉄・クロム・コバルト磁石を使用してもよい。また、加工性の高いＦｅ−Ｍｎ系・Ｆｅ−Ｃｒ−Ｃｏ系の磁石を使用してもよいし、残留磁束密度は低いものの保持力の高いＢａ系・Ｓｒ系の磁石を使用してもよい。さらに、これらの強磁性体の他に、電磁石を用いることによって、電流印加時のみ吸着作用を有するようにしてもよい。その他、使用場所や使用目的に応じ、各種の磁石を使用できる。
【００１８】
鏡面部材２０への磁石片３０の接着は、合成樹脂製の接着剤によって行われる。磁石片３０の裏面に、裏板を貼り付けたり、壁等に取り付けるための金具を取り付けたりしてもよい。
このように構成された吸着鏡１０に着脱自在に取り付けられる被吸着物５には、貼着片５０が貼着される。
【００１９】
この貼着片５０は、図４に示すように、吸着鏡１０に吸着される側から順に、吸着層５１、接着剤５２、剥離シート５３の順に積層されている。
吸着層５１には、本実施例では３０ｍｍ×３０ｍｍ、厚さ１ｍｍの１２９００ガウスのネオジウム磁石片を使用するが、吸着鏡１０に対して吸着性を有するものであれば如何なるものを使用してもよい。例えば、ゴムをバインダーとしてフェライト粉末を分散化させたマグネットシートを使用してもよいし、鉄板、フェライト系又はマルテンサイト系のステンレス板やステンレスシートを使用してもよい。
【００２０】
剥離シート５１を剥がし、被吸着物５に貼り付けることで、図１に示すように、吸着片５１を介して被吸着物５を吸着鏡１０に吸着させることができる。
このように吸着鏡１０と貼着片５０に上記のネオジウム磁石を用いた実施例によれば、１．２ｋｇ以上の重量の被吸着物５を鏡面に取り付けることが可能となる。また、被吸着物５を鏡面から取り外すもの容易であり、取り外した後は通常の鏡面が維持される。
【００２１】
なお、被吸着物５の材質が鉄、フェライト系又はマルテンサイト系のステンレスなどの常磁性体の場合は、貼着片５０は不要であるので、吸着鏡１０単体としての使用も可能である。
本実施形態において、鏡面部材２０に厚さ２ｍｍのアクリル鏡を使用し、５０ｍｍ×３０ｍｍで厚さ３ｍｍのネオジウム磁石を使用した場合、２５０ｇの鉄製製品（例えば鍵）を直接吸着させることができる。また、０．４ｍｍ〜１ｍｍのステンレス鏡を使用し、５０ｍｍ×３０ｍｍで厚さ２ｍｍのネオジウム磁石を使用した場合、７０ｇの鉄製製品（例えば金槌）を直接吸着させることができる。  
【実施例２】
【００２２】
図５は、本発明の第２実施形態に係る吸着鏡セット１’を示す正面図である。
この吸着鏡セット１’は、特に、美容院等の鏡として用いられるものであり、吸着鏡１０’の裏面の所定位置に磁石板３０’が取り付けられている点、被吸着物として反射鏡６を用いている点が、第１実施形態の吸着鏡セットと異なる。
吸着鏡１０’の鏡面部材２０の裏面には、図６に示すように、上部と両側部に大きな切欠部を有する基板４０が貼り付けられている。この基板４０の切欠部に、強力な磁石板３０’を嵌め込むことによって、吸着鏡１０’が構成されている。
【００２３】
反射鏡６は、図７に示すように、ヒンジ部７を介して回動可能に取付部８に取り付けられており、その取付部８の裏面には、貼着片５０が貼り付けられている。この貼着片５０の吸着層は、反射鏡６の重量に耐え得る磁力を有するマグネット板でできており、強力な接着剤で反射鏡６の取付部８に固着されている。
このように構成された吸着鏡セット１’を用いることで、店舗内の美観が重視される美容院において、鏡の前での調髪作業の際にのみ反射鏡６を取り付けて、横顔や後姿等を視認できるようにし、調髪作業が行われていないときには、反射鏡６を取り外し、インテリアとしての美しい鏡面が維持されるようにすることができる。
【実施例３】
【００２４】
図８は、本発明の第３実施形態に係る吸着鏡セット１”を示す断面図である。
この吸着鏡セット１”の吸着鏡１０”は、鏡面部材２０の裏面に、磁石板３０”を一面に取り付けて構成されている点、磁石の種類としてフェライト磁石が使用されている点において、第１実施形態に係る吸着鏡とは異なる。このフェライト磁石は、磁石粉をバインダーで結合して製造されており、多量の磁石粉が配合されている側が鏡面部材２０の側に向くように配置して貼り付けられている。
【００２５】
さらに、この吸着鏡セット１”の貼着片５０は、シート状のものを鋏等によって任意の大きさに切断したもので、吸着層には、ゴムをバインダーとしてフェライト粉末を分散化させたマグネットシートを使用している。
シート状のものを適宜な大きさに切断し、被吸着物に貼り付けることによって貼着片５０を構成できるので、あらゆる物を鏡に吸着させることが可能となる。
【産業上の利用可能性】
【００２６】
本発明は、家具としての鏡だけでなく、建築材料等あらゆる産業分野で使用される鏡に利用できる。
【図面の簡単な説明】
【００２７】
【図１】本発明の第１実施形態に係る吸着鏡セットを示す断面図である。
【図２】上記吸着鏡セットの吸着鏡を示す断面図である。
【図３】上記吸着鏡の背面図である。
【図４】上記吸着鏡セットの貼着片５０を示す断面図である。
【図５】本発明の第２実施形態に係る吸着鏡セットを示す正面図である。
【図６】上記吸着鏡の背面図である。
【図７】上記吸着鏡セットの吸着鏡のＡ−Ａ線矢視断面図である。
【図８】本発明の第３実施形態に係る吸着鏡セットを示す断面図である。
【符号の説明】
【００２８】
１、１’、１”…吸着鏡セット
５…被吸着物
６…反射鏡
７…ヒンジ部
８…取付部
１０、１０’１０”・・・吸着鏡
２０…鏡面部材
２１…平面部材
２２…金属膜
３０、３０’、３０”…磁石片、磁石板
４０…基板
５０…貼着片
５１…吸着層
５２…接着剤
５３…剥離シート
【図１】
2008023005.tif 000003
【図２】
2008023005.tif 000004
【図３】
2008023005.tif 000005
【図４】
2008023005.tif 000006
【図５】
2008023005.tif 000007
【図６】
2008023005.tif 000008
【図７】
2008023005.tif 000009
【図８】
2008023005.tif 000010